(57)【要約】【課題】電気かみそりの振動を防止する。【解決手段】かみそりユニット５及び電装ユニット４を含む作動ユニット３を本体ケース１に装填した電気かみそりであって、本体ケース１は電装ユニット４を収容する筒部11と、該筒部先端から筒部11と直交する方向に拡大して開いた一対の取付け片13、13からなり、両取付け片13、13の自由端と筒部11の上部が側方へ張り出す補強片15、15で繋がっている。取付け片13、13は補強片15、15によって筒部(11)に繋がっているから、振動し難くなっており、本体ケース１全体の振動を抑えることができる。【選択図】図２
2008104750.tif 000002
【特許請求の範囲】
【請求項１】
かみそりユニット(５)及び電装ユニット(４)を含む作動ユニット(３)を本体ケース(１)に装填した電気かみそりであって、本体ケース(１)は電装ユニット(４)を収容する筒部(11)と、該筒部先端から筒部(11)と直交する方向に拡大して開いたかみそりユニット取付け部(12)とからなり、かみそりユニット取付け部(12)の両端側と筒部(11)の上部が側方へ張り出す補強片で(15)(15)で繋がっている、電気かみそり。
【請求項２】
かみそりユット(５)及び電装ユニット(４)を含む作動ユニット(３)を本体ケース(１)に装填した電気かみそりであって、本体ケース(１)は電装ユニット(４)を収容する筒部(11)と、該筒部先端から筒部(11)と直交する方向に拡大して開いたかみそりユニット取付け部(12)とからなり、かみそりユニット(５)は横長の囲い周壁(６)で包囲され、該囲い周壁の横長両端に、洗浄水注排水用の孔(60)(60)が開設され、両孔(60)(60)を結ぶ流路上に、かみそり駆動軸(52)(52)が位置し、該駆動軸(52)(52)に取り付けた可動刃(53)と該可動刃(53)に被さる固定刃(54)が囲い周壁(６)の上面開口から突出して配備されている、電気かみそり。
【請求項３】
取付け部(12)は、筒部(11)の先端から延びる一対の取付け片(13)(13)によって構成され、取付け片(13)(13)の自由端と筒部(11)が補強片(15)(15)で繋がっており、取付け片(13)(13)間にかみそりユニット(５)が挟まり、取付け片(13)(13)とかみそりユニット(５)がネジ止め固定されている、請求項１又は２に記載の電気かみそり。
【請求項４】
注排水用の孔(60)(60)は、補強片(15)(15)上にスライド可能に設けた蓋片(２)(２)によって開閉可能である、請求項２又は３に記載の電気かみそり。
【請求項５】
筒部(11)は該筒部と一体成形された底部(17)を有し、該底部と作動ユニット(３)に形成された凹部(18)と凸部(48)の係合によって作動ユニット(３)の下部が位置決めされる、請求項１乃至４の何れかに記載の電気かみそり。
【請求項６】
作動ユニット(３)は、筒部(11)内への水の侵入を防止するために施すシール部の外側位置にて、かみそりユニット取付け部(12)にネジ止め固定されている、請求項１乃至５の何れかに記載の電気かみそり。
【請求項７】
筒部(11)の底部(17)と作動ユニット(３)に形成された凹部(18)と凸部(48)に、作動ユニット(３)の電池室(42)と本体ケース(１)の外側を連通するガス抜き孔(18b)(48b)が開設され、該ガス抜き孔は、ガスの通過は許すが水は遮断するフィルターによって防水が施されている、請求項５又は６に記載の電気かみそり。
【発明の詳細な説明】
【技術分野】
【０００１】
本発明は、かみそりユニット及び電装ユニットを含む作動ユニットが本体ケースに装填されている電気かみそりに関し、特に、本体ケースは電装ユニットを収容する筒部と、筒部先端から筒部と直交する方向に拡大して開口したかみそりユニット取付け部からなる電気かみそりに関する。
【背景技術】
【０００２】
特許文献１には、かみそりユニット及び電装ユニットを含む作動ユニットが本体ケースに装填されている電気かみそりが開示されている。
かみそりユニットは、スライド往復式の可動刃(内刃)と該可動刃に被さる固定刃(外刃)を具えており、可動刃の往復方向に長い。
本体ケースは、電装ユニット部分を収容する筒部と、筒部の先端に筒部と直交する方向に拡大して開口したかみそりユニット取付け部とからなる。
【０００３】
【特許文献１】特開平５−２５３３６１号公報
【発明の開示】
【発明が解決しようとする課題】
【０００４】
上記電気かみそりは、作動ユニットのかみそりユニット側が、首つり状態に本体ケースに支持されており、モータの回転を可動刃の往復運動に変換させる機構等から生じる振動が本体ケースのかみそりユニット取り付け部に伝達され、かみそりユニット取り付け部の振動が直に筒部(11)に伝わる。
スライド往復式の電気かみそりが発する振動は、回転刃式のものに較べてかなり大きい。又、本体ケースのかみそりユニット取り付け部は、筒部の先端から拡大して開口しており、かみそりユニットの振動かみそりユニット取り付け部を大きく振動させ、筒部も大きく振動する。
本体ユニットの筒部は持ち手となるものであり、持ち手の振動が大きいと不快に感じ、又、振動音が大きくなることでも不快に感じる。
【０００５】
又、従来の電気かみそりは、洗浄に際し、固定刃を外す等、かみそりユニットを分解しないと、洗浄液や洗浄屑の排出ができない、或いは洗浄し難くい構造であって、洗浄作業が面倒であった。
【０００６】
本発明の目的は、簡単な構成で使用時の振動を抑えることができる電気かみそりを提供することにある。
又、本発明の別の目的は、かみそりユニットを分解することなく、効果的に洗浄できる電気かみそりを提供することにある。
【課題を解決するための手段】
【０００７】
請求項１の電気かみそりは、かみそりユニット(５)及び電装ユニット(４)を含む作動ユニット(３)を本体ケース(１)に装填した電気かみそりであって、本体ケース(１)は電装ユニット(４)を収容する筒部(11)と、該筒部先端から筒部(11)と直交する方向に拡大して開いたかみそりユニット取付け部(12)とからなり、かみそりユニット取付け部(12)の両端側と筒部(11)の上部が側方へ張り出す補強片で(15)(15)で繋がっている。
【０００８】
請求項２は、かみそりユニット(５)及び電装ユニット(４)を含む作動ユニット(３)を本体ケース(１)に装填した電気かみそりであって、本体ケース(１)は電装ユニット(４)を収容する筒部(11)と、該筒部先端から筒部(11)と直交する方向に拡大して開いたかみそりユニット取付け部(12)とからなり、かみそりユニット(５)は横長の囲い周壁(６)で包囲され、該囲い周壁の横長両端に、洗浄水注排水用の孔(60)(60)が開設され、両孔(60)(60)を結ぶ洗浄水流路上に、かみそり駆動軸(52)(52)が位置し、該駆動軸(52)(52)に取り付けた可動刃(53)と該可動刃(53)に被さる固定刃(54)が囲い周壁(６)の上面開口から突出して配備されている。
【０００９】
請求項３は、請求項１又は２の電気かみそりにおいて、取付け部(12)は、筒部(11)の先端から延びる一対の取付け片(13)(13)によって構成され、取付け片(13)(13)の自由端と筒部(11)が補強片(15)(15)で繋がっており、取付け片(13)(13)間にかみそりユニット(５)が挟まり、取付け片(13)(13)とかみそりユニット(５)がネジ止め固定されている。
【００１０】
請求項４は、請求項２又は３の電気かみそりにおいて、注排水用の孔(60)(60)は、補強片(15)(15)上にスライド可能に設けた蓋片(２)(２)によって開閉可能である。
【００１１】
請求項５は、請求項１乃至４の何れかの電気かみそりにおいても、筒部(11)は該筒部と一体成形された底部(17)を有し、該底部と作動ユニット(３)に形成された凹部(18)と凸部(48)の係合によって作動ユニット(３)の下部が位置決めされる。
【００１２】
請求項６は、請求項１乃至５の何れかの電気かみそりにおいて、作動ユニット(３)は、筒部(11)内への水の侵入を防止するために施すシール部の外側位置にて、かみそりユニット取付け部(12)にネジ止め固定されている。
【００１３】
請求項７は、請求項５又は６に記載の電気かみそりにおいて、筒部(11)の底部(17)と作動ユニット(３)に形成された凹部(18)と凸部(48)に、作動ユニット(３)の電池室(42)と本体ケース(１)の外側を連通するガス抜き孔(18b)(48b)が開設され、該ガス抜き孔は、ガスの通過は許すが水は遮断するフィルターによって防水が施されている。
【発明の効果】
【００１４】
請求項１の電気かみそりは、筒部(11)の先端から該筒部(11)と直交する方向に拡大して開いたかみそりユニット取付け部(12)は、その両端が補強片(15)(15)によって筒部(11)に繋がっているから、振動し難くなっており、本体ケース(１)全体の振動を抑えることができる。
持ち手となる筒部(11)の振動や振動音も抑えることができるから、使用時の不快感がない。
【００１５】
請求項２の電気かみそりは、一方の洗浄水注排水用の孔(60)から洗浄水を注入すると、他方の洗浄水注排水用の孔(60)から排出される。この間に、洗浄水は、駆動軸(52)(52)に衝突して乱流を生じ、囲い周壁(６)で囲まれたかみそりユニット(５)内を効果的に洗浄できる。一部の洗浄水は、可動刃(53)と固定刃(54)の隙間から外部に排出され、このとき、両刃(53)(54)が洗浄される。
【００１６】
請求項３の電気かみそりは、筒部(11)から延びた一対の取付け片(13)(13)の間にかみそりユニット(５)が挟まり、該取付け片(13)(13)とかみそりユニット(５)がネジ止め固定されているから、取付け片(13)(13)はかみそりユニット(５)振動の影響を直に受ける。このため、取付け片(13)(13)は振動し易い筈であるが、取付け片(13)(13)の自由端と筒部(11)が補強片(15)(15)で繋がって、取付け片(13)(13)の自由端は、自由端ではなくなっているから、取付け片(13)(13)が振動することを効果的に防止でき、即ち、本体ケース(１)の振動を抑えることができる。
【００１７】
請求項４の電気かみそりは、洗浄時以外は、洗浄水注排水用の孔(60)(60)を蓋片(２)(２)で塞ぐことができ、体裁が良く、該孔(60)(60)からの異物の侵入を防止できる。
又、蓋片(２)は、補強片(15)(15)上にスライド可能に配備されているから、蓋片(２)の取り付けのために、特別の支持ベースを必要とせず、蓋片(２)を設けるために、特に電気かみそりが大型となることはない。
【００１８】
請求項５の電気かみそりは、作動ユニット(３)の下部は、本体ケース(１)の底部(17)に位置決めされ、上部は本体ケース(１)のかみそりユニット取付け部(12)に支持されて、上下で位置決めされるから、作動ユニット(３)の取付けが安定し、作動ユニット(３)の振動を抑える効果がある。
作動ユニット(３)の下部の位置決めは、筒部(11)と一体に繋がった底部(17)と作動ユニット(３)とに形成された、凹部(18)と凸部(48)の係合によってなされるから、ネジ止め固定の場合の様な取付けの手間や、ネジ部の防水を図る手間が省ける。
【００１９】
請求項６の電気かみそりは、作動ユニット(３)をかみそりユニット取付け部(12)に固定するネジの位置は、筒部(11)内への水の侵入を防止するために施すシール部よりも外側に位置しているから、ネジ部分に防水シールを施す必要がなく、構成を簡素化できる。
【００２０】
請求項７の電気かみそりは、電池室(42)はガス抜き孔(18a)(48b)よって本体ケース(１)の外部に通じているから、電池から放出されるガスが電池室(42)に溜まることはなく、防爆の効果がある。
【発明を実施するための最良の形態】
【００２１】
図１は本発明に係る電気かみそりの実施例の分解図を示す。
該電気かみそりは水洗い可能に構成されている。
電気かみそりは本体ケース(１)、該本体ケースに差し込み装填される作動ユニット(３)からなる。
作動ユニット(３)は、縦長のバー状を呈する電装ユニット(４)と、該電装ユニット(４)の上端に設けられ左右に拡大したかみそりユニット(５)からなる。
【００２２】
電装ユニット(４)は、合成樹脂製の縦長のホルダー(41)の下部に形成した密閉電池室(42)に二次電池(47)を収容し、上部に形成したモータ収容部(43)にモータ(44)をモータ軸(45)を上向きにして収容し、ホルダー(41)の正面に縦長の配線基板(40)を取り付けて構成されている。
ホルダー(41)の下端には、充電用のピン(47a)(47a)と、位置決め用の凸部(48)が突設されている。実施例の凸部(48)は、ホルダー(41)と一体成形された軸体(48a)であり、該軸体(48a)には電池室(42)に繋がるガス抜き孔(48b)が開設されている。
配線基板(40)の上部にはスイッチ片(40a)が設けられている。
モータ軸(45)には、該モータ軸(45)の回転をモータ軸(45)と直交する方向での往復運動に変換する運動変換機構(51)を介して、上向きに２本の駆動軸(52)(52)がフレキシブルに連繋される。
上記運動変換機構(51)については、この種電気かみそりでは公知であり、説明は省略する。
【００２３】
かみそりユニット(５)は、上記駆動軸(52)(52)とＴ字を成す様に着脱可能に取り付けられ互いに平行に位置する２つの可動刃(53)(53)と、枠状の刃体ホルダー(56)に保持されて可動刃(53)(53)に被さる固定刃(54)(54)と、前記筒部(11)の上端部から刃体ホルダー(56)外周全体を囲む囲い周壁(６)を含む。
刃体ホルダー(56)には、きわ剃り刃(55)も収容されているが、本発明と無関係であるので、その駆動機構を含めて説明は省略する。
【００２４】
図１に示す如く、囲い周壁(６)は、前記運動変換機構(51)を包囲する第１囲い壁(61)と、該第１囲い壁(61)の上方に位置して第１囲い壁(61)に着脱可能に嵌合する第２囲い壁(62)からなる。
第１囲い壁(61)は、駆動軸(52)(52)のスライド方向に長く、下端を縮径して中央に首部(63)を形成し、該首部(63)を、前記本体ケース(１)の筒部(11)上端外周に少し首振りできる余裕のある状態に嵌めている。
首部(63)外周には、筒部(11)との間の防水を図るシールリング(64)が装着されている。
第１囲い壁(61)内の左右両端に、後記する本体ケース(１)のかみそりユニット取付け部(12)上のボス(14)(14)が嵌まる貫通孔(61a)(図８参照)が開設されている。
【００２５】
第１囲い壁(61)内には前記運動変換機構(51)を包囲して、囲い周壁(６)の内面に防水壁(65)(図４参照)が上向きに突設され、該防水壁(65)の上端を押さえる様にして第１囲い壁(61)内ににプレート(46)が緊密に嵌まっている。第１囲い壁(61)は、該プレート(46)を介して後記する本体ケース(１)にネジ止め固定される。
プレート(46)の中央部には、四角形の貫通孔(46a)が開設されている。該貫通孔(46a)は駆動軸(52)(52)がスライド運動するのに十分に余裕のある状態に貫通する大きさであり、該孔(46a)は駆動軸(52)(52)の動きを妨げないゴムパッキン(32)によって塞がれている。
プレート(46)の下面には、防水周壁(65)に嵌まる短い周壁(46c)が突設され、該周壁(46c)にシールリング(49)が装着されて、プレート(46)と第１囲い壁(61)との間から第１囲い壁(61)内、即ち、運動変換機構(51)側に水が侵入しない様に構成されている。
プレート(46)の両側には、上記シールリング(49)の外側位置にて取付け孔(46d)(46d)が開設されている。
【００２６】
第２囲い壁(62)は、上下面が開口した横長の枠体に形成され、前記刃体ホルダー(56)は、第２囲い壁(62)の上面開口から着脱可能であり、第２囲い壁(62)に収まった状態で、固定刃(54)(54)及び可動刃(53)(53)は、第２囲い壁(62)の上面開口から突出する。
第２囲い壁(62)の左右両端に洗浄水注排水用の孔(60)(60)が開設され、両孔(60)(60)を真直ぐに結ぶ流路に前記可動刃(53)(53)の駆動軸(52)(52)が位置している。
第２囲い壁(62)の両端外側に、上記孔(60)(60)を開閉する蓋片(２)(２)のスライド案内を行うガイド縁(60a)(60a)が形成されている。
【００２７】
図１、図８に示す如く、刃体ホルダー(56)の両端に摘み片(57)(57)が一体に突設されている。
摘み片(57)は、刃体ホルダー(56)の上端から刃体ホルダー(56)の壁面との間に隙間を存して下向きに延びて第２囲い壁(62)の上端に当たる位置決め部(57a)と、該位置決め部の内側から更に少し下向きに延び第２囲い壁(62)内面の凹み(62a)に係脱する掛り片(58)とからなる。
両摘み片(57)(57)を内側に押し込んでから持ち上げると、摘み片(57)が内側に弾性変形して、掛り片(58)と凹み部(57a)の係合が外れ、刃体ホルダー(56)を固定刃(54)(54)と一緒に第２囲い壁(62)から外すことができる。
【００２８】
上記かみそりユニット(５)の可動刃(53)は駆動軸(52)(52)から、第２囲い壁(62)は第１囲い壁(61)から、刃体ホルダー(56)は第２囲い壁(62)から夫々簡単に取り外すことができる。
【００２９】
本体ケース(１)は合成樹脂にて一体成形され、作動ユニット(３)の電装ユニット(４)を収容する有底の筒部(11)と、該筒部先端から筒部(11)と直交する方向に拡大して開いたかみそりユニット取付け部(12)とからなり、かみそりユニット取付け部(12)の両端側と筒部(11)の上部が側方へ張り出す補強片で(15)(15)で繋がっている。
【００３０】
筒部(11)の底部(17)には、前記電装ユニット(４)のホルダー(41)から突出した充電用ピン(47a)(47a)が貫通する孔(19)(19)及び位置決め用凸部(48)に係合する凹部(18)が形成されている。凹部(18)は、凸部(48)である軸体(48a)が嵌まる穴(18a)である。
穴底には、ガス抜き用の貫通小孔(18b)が開設されている。
【００３１】
本体ケース(１)の正面上部には、防水機能を有す押しボタン(７)が設けられ、該スイッチ(７)は、前記電装ユニット(４)の配線基板(40)上のスイッチ片(40a)の位置に対応している。
【００３２】
本体ケース(１)のかみそりユニット取付け部(12)は、実施例では、本体ケース(１)の両側壁から少し上向きに左右に向い、更に上向きに向かう様に対称形の一対の取付け片(13)(13)によって形成されている。取付け片(13)(13)は板片を曲げたように筒部(11)と一体に形成されている。
取付け片(13)(13)の内面に、該取付け片先端の上向き壁(13a)(13a)と平行に、ネジ穴付きのボス(14)(14)が突設されている。
【００３３】
取付け片(13)(13)の上部と筒部(11)の上部が、側方向に張り出した補強片(15)(15)によって一体に繋がっている。
実施例の補強片(15)(15)は、取付け片(13)の自由端と筒部(11)が板片を略円弧状に湾曲させた様にブリッジ状に形成されている。
【００３４】
補強片(15)(15)の上部外面に凹み段部(16)(16)が形成され、該凹み段部(16)(16)に前記第２囲い壁(62)の注排水孔(60)(60)を開閉する蓋片(２)(２)を収容している。
各該凹み段部(16)の両側のガイド縁(16a)(16a)は前記第２囲い壁(62)上のガイド縁(60a)(60a)に連続しており、蓋片(２)はガイド縁(16a)(16a)(60a)(60a)に案内されてスライドする。
蓋片(２)と凹み段部(16)との間に配備されたバネ片(21)によって、蓋片(２)は注排水孔(60)(60)を常時閉じ方向に付勢されている。
【００３５】
以下に、本体ケース(１)への作動ユニット(３)の組込み手順を説明する。
第２囲い壁(62)及び刃体ホルダー(56)を外した状態の作動ユニット(３)を、電装ユニット(４)が筒部(11)に嵌まる様に本体ケース(１)に装填し、かみそりユニット(５)の第１囲い壁(61)を本体ケース(１)の補強片(15)(15)間に嵌め込む。
筒部(11)の底部(17)の孔(19)(19)と穴(18a)に、作動ユニット(３)上のピン(47a)(47a)と軸体(48a)が嵌合し、穴(18a)と軸体(48a)の嵌合によって、作動ユニット(３)の下部が位置決めされる。
予めピン(47a)(47a)と軸体(48a)に装着されたシールリング(図示せず)と、第１囲い壁(61)の首部(63)に装着されたシールリング(64)によって、筒部(11)内への水の侵入は阻止される。
【００３６】
かみそりユニット(５)の上面開口に被せたプレート(46)の両端の取付け孔(46d)(46d)にビス(46b)(46b)を嵌め、取付け片(13)(13)上のボス(14)(14)にネジ止めして、かみそりユニット(５)を本体ケース(１)に固定する。
この状態で、プレート(46)は下面の周壁(46c)が第１囲い壁(61)内に形成された防水周壁(65)に固定状態に嵌まり、周壁(46c)に施したシール部、実施例ではシールリング(49)によって、第１囲い壁(61)上の防水周壁(65)内への水の侵入が阻止され、即ち、プレート(46)の外側から運動変換機構(51)や電装ユニット(４)へ水の侵入は阻止される。
【００３７】
第１囲い壁(61)に第２囲い壁(62)を嵌合して取り付け、第２囲い壁(62)に刃体ホルダー(56)を嵌め込んで、刃体ホルダー(56)上の固定刃(54)(54)を可動刃(53)(53)に被せて、電気かみそりの組立を完成する。
【００３８】
上記電気かみそりは、本体ケース(１)の筒部(11)の先端から該筒部(11)と直交する方向に拡大して開いた取付け片(13)(13)の自由端が、補強片(15)(15)によって筒部(11)に繋がって補強されている。そのため、取付け片(13)(13)の変形が防止され、振動し難くなっており、本体ケース(１)全体の振動を抑えることができる。
持ち手となる筒部(11)の振動や振動音も抑えることができるから、使用時の不快感がない。
【００３９】
又、第２囲い壁(62)の一方の注排水用の孔(60)を閉じ、他方の孔(60)を開いて洗浄水を注入し続けると、洗浄水は、駆動軸(52)(52)に衝突して第２囲い壁(62)内で乱流を生じ、駆動軸(52)(52)周辺を効果的に洗浄しながら、可動刃(53)と固定刃(54)の隙間から外部に押し出され、このとき、両刃(53)(54)が洗浄される。
閉じている蓋片(２)を開くと、洗浄水や洗浄屑を速やかに排水でき、濯ぎに便利である。
両方の蓋片(２)(２)を開いたまま、一方の注排水孔(60)から洗浄水を注入して洗浄することもでき、この場合でも洗浄水は、駆動軸(52)(52)に衝突して第２囲い壁(62)内で乱流を生じ、一部の水は、可動刃(53)と固定刃(54)の隙間から外部に押し出され、一部の水は他方の注排水孔から排水され、第２囲い壁(62)内を洗浄できる。
【００４０】
洗浄時以外は、注排水用の孔(60)(60)を蓋片(２)(２)で塞ぐことができ、体裁が良く、該孔(60)(60)からの異物の侵入を防止できる。
又、蓋片(２)は、補強片(15)(15)上にスライド可能に配備されているから、蓋片(２)の取り付けのために、特別の支持ベースを必要とせず、蓋片(２)を設けるために、特に電気かみそりが大型となることはない。
【００４１】
又、作動ユニット(３)をかみそりユニット取付け部(12)に固定するネジの位置は、筒部(11)内への水の侵入を防止するために施すシールリング(49)の取り付け位置よりも外側に位置しているから、ネジ部分に防水シールを施す必要がなく、構成を簡素化できる。
【００４２】
電池室(42)はガス抜き孔(18a)(48b)よって本体ケース(１)の外部に通じているから、過充電時に電池の電解溶媒が分解して発するガスを電池室(42)に溜めることなく放出できるので、防爆の効果がある。
【００４３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００４４】
例えば、上記実施例では、補強片(15)は取付け片(13)と筒部(11)との間にブリッジ状に繋がって、取付け片(13)、筒部(11)、補強片(15)の内側に空間Ｓ(図４参照)が存在しているが、該空間が埋まっていてもよいのは勿論である。
【００４５】
又、実施例では、筒部(11)の底部(17)に凹部(18)、作動ユニット(３)の下端に該凹部(18)に係合する凸部(48)を設けたが、筒部(11)の底部(17)に凸部、作動ユニット(３)の下端に該凸に係合する凹部を設けて、凸部と凹部の係合によって、作動ユニット(３)の下端の位置決めをすることができる。
【図面の簡単な説明】
【００４６】
【図１】電気かみそりの分解斜視図である。
【図２】電気かみそりの正面図である。
【図３】図２Ａ−Ａ線に沿う断面図である。
【図４】図３Ｂ−Ｂ線に沿う断面図である。
【図５】電気かみそりの右側面である。
【図６】同上の注排水口を開いた状態を示す図である。
【図７】図５Ａ−Ａ線に沿う断面図である。
【図８】図７Ｃ−Ｃ線に沿う部分拡大図である。
【図９】刃体ホルダー取付け部の断面図である。
【図１０】図９の要部拡大図である。
【符号の説明】
【００４７】
１  本体ケース
11  筒部
12  かみそり取付部
13  取付け片
４  電装ユニット
５  かみさりユニット
15  補強片
【図１】
2008104750.tif 000003
【図２】
2008104750.tif 000004
【図３】
2008104750.tif 000005
【図４】
2008104750.tif 000006
【図５】
2008104750.tif 000007
【図６】
2008104750.tif 000008
【図７】
2008104750.tif 000009
【図８】
2008104750.tif 000010
【図９】
2008104750.tif 000011
【図１０】
2008104750.tif 000012